(57)【要約】      （修正有）【課題】受け枠高さを開口周囲の高さに合わせて調整するもので、既設の調整モルタルを破壊しないか、或いは、破壊を最小限に止め、施工済みの調整装置の部品を再使用する。【解決手段】下部構造の側に植設された固定ボルト１２に螺合し、筒状下部に外側段部１４を設け、螺合操作部材２４の係合相手部１５を有する、筒状の上下移動部材１３と、固定ボルトの挿通孔部を有し、その周囲から外方下向きの凸曲面１８を設け、受け枠に接触可能な支持面１９を有し、操作部材による操作を可能にするために必要なスペース２０を内側に有し、上記外側段部上に支持される曲面ワッシャー１６と、下部構造と曲面ワッシャー１６の間に露出する固定ボルト１２と上下移動部材１３、曲面ワッシャー１６の下部を覆う伸縮可能なカバー２１及び上下移動部材１３の係合相手部１５と係合可能な係合部２５を先端に設けたパイプ状部材２６を有する前記操作部材２４とを具備する。【選択図】図１
2008121198.tif 000002
【特許請求の範囲】
【請求項１】
地下構造物において、開口を塞ぐ蓋体の受け枠と下部構造との間に介在し、受け枠高さを開口周囲の高さに合わせて調整するための装置であって、
下部構造の側に植設された固定ボルトに螺合して上下方向へ移動可能であり、上位に配置される部材を受け支えるために外周に設けられた外側段部と、上方から螺合操作を行なう操作部材の係合相手部を有する、筒状の上下移動部材と、
上下移動部材に挿通するため中央部に形成した孔部と、孔部周囲から外方かつ上方へ向かって設けられた下向きの凸曲面と、凸曲面よりも上位に設けられ、受け枠に接触可能な支持面と、固定ボルトに挿通した状態にて操作部材による操作を可能にするために必要なスペースを内側に有し、上記上下移動部材の外側段部上に支持される曲面ワッシャーと、
下部構造と曲面ワッシャーの間に露出する固定ボルトと上下移動部材及び曲面ワッシャーの下部を覆う伸縮可能なカバー、を具備したことを特徴とする地下構造物用受け枠高さ調整装置。
【請求項２】
上下移動部材は、固定ボルトに螺合する雌ねじ部を筒状の内面に有し、筒状の外部に外側段部を構成するフランジ状の部分を設け、筒状の上端に係合相手部を構成する凹部を設けている請求項１記載の地下構造物用受け枠高さ調整装置。
【請求項３】
曲面ワッシャーは、プレス成型により球殻状に形成した円形部材より成り、その円形部材の周縁部に支持面が外方へ向けて設けられている請求項１記載の地下構造物用受け枠高さ調整装置。
【請求項４】
伸縮可能なカバーは、上下移動部材及び曲面ワッシャーの下部を覆うために、上下動部材の下部の係合相手部及び係合相手部に支持されている曲面ワッシャーの下部を下方から囲む囲み部を有し、囲み部の上端が曲面ワッシャーの下部に接触するように構成された請求項１記載の地下構造物用受け枠高さ調整装置。
【発明の詳細な説明】
【技術分野】
【０００１】
本発明は、地下構造物において、開口を塞ぐ蓋体の受け枠と下部構造との間に介在し、受け枠高さを開口周囲の高さに合わせて調整するための装置に関するものである。
【背景技術】
【０００２】
例えば、道路に設けられているマンホールにおいて、周囲の路面が沈下したり、破損したりしたときには、道路舗装を一旦剥がして再舗装する補修工事を行うことになる。その場合、マンホール鉄蓋の受け枠を取り外して、再舗装する路面の高さ及び傾斜に合わせることが必要になる。このような工事のための高さ調整工法としては、例えば、特開２００１−１８２７２７号のものがあり、そのものは、高さ調整金具がモルタルの中に埋まってしまうので、再施工の際に、高さ調整に用いられているモルタルを破壊しなければならない。しかし、それでは不経済である。
【０００３】
特開平１０−６０９３０号の発明の場合、レベル調整ブロックを保護ブロックで覆っているので、再施工時に保護ブロックを外せば調整ブロックを露出させて、新たな高さ調整を実施することができ、その際モルタルを破壊することもない。しかし、その保護ブロックは、レベル調整ブロックに上から嵌め合わせる構造のため大型であり、モルタル充填容積を減少させ、強度を落とす恐れがある。また、嵌め合わせが不十分であったり、取り付けの適切さを欠いたりして隙間ができた場合には、モルタルが流入することを避けることが困難である。このようなことは、特開平１０−６８１３６号の発明についても当てはまる。
【０００４】
【特許文献１】特開平１０−６０９３０号
【特許文献２】特開平１０−６８１３６号
【特許文献３】特開２００１−１８２７２７号
【発明の開示】
【発明が解決しようとする課題】
【０００５】
本発明は前記の点に着目してなされたものであり、その課題は、受け枠高さを開口周囲の高さに合わせて調整することが可能であり、施工後再嵩上げが必要になったときにも、既設の調整モルタルを破壊しないか、或いは、破壊を最小限に止め、かつ、施工済みの調整装置の部品を再使用するなどして受け枠高さを変更できるようにすることである。また本発明の他の課題は、調整装置の構成の合理化により、モルタル充填容積を減少させず、強度を落とさずに済むようにすることである。また本発明の他の課題は、モルタルの流れ不良を起こさず、再施工時においてモルタルから調整装置の部品を取り外しやすくすることである。
【課題を解決するための手段】
【０００６】
前記の課題を解決するため、本発明は、地下構造物において、開口を塞ぐ蓋体の受け枠と下部構造との間に介在し、受け枠高さを開口周囲の高さに合わせて調整するための装置として、下部構造の側に植設された固定ボルトに螺合して上下方向へ移動可能であり、上位に配置される部材を受け支えるために外周に設けられた外側段部と、上方から螺合操作を行なう操作部材の係合相手部を有する、筒状の上下移動部材と、上下移動部材に挿通するため中央部に形成した孔部と、孔部周囲から外方かつ上方へ向かって設けられた下向きの凸曲面と、凸曲面よりも上位に設けられ、受け枠に接触可能な支持面と、固定ボルトに挿通した状態にて操作部材による操作を可能にするために必要な内側のスペースを有し、上記上下移動部材の外側段部上に支持される曲面ワッシャーと、下部構造と曲面ワッシャーの間に露出する固定ボルトと上下移動部材及び曲面ワッシャーの下部を覆う伸縮可能なカバー、を具備するという手段を講じたものである。
【０００７】
本発明の高さ調整装置は、地下構造物において、開口を塞ぐ蓋体の受け枠と下部構造との間に介在し、受け枠高さを開口周囲の高さに合わせて調整するという、従来の技術の上に改良を施すことを目的としている。受け枠の高さ調節は、下部構造に植設された固定ボルトを用いて行い、高さとともに傾斜を考慮することも必要である。なお、本発明において、下部構造とは受け枠を取り付けるための下部の構造の意味であり、多くはいわゆる側塊と考えて良いが、調整ブロックということもある。
【０００８】
下部構造の側に植設されている固定ボルトには、固定ボルトとの螺合により上下方向へ移動可能な、筒状の上下移動部材を設ける。上下移動部材は、上位に配置される部材を受け支えるために、外周に設けられた外側段部を有しており、かつまた、上方から螺合操作を行なう操作部材の係合相手部を有する。
【０００９】
上下移動部材は、固定ボルトに螺合する雌ねじ部を筒状の内面に有し、筒状の外部に外側段部を構成するフランジ状の部分を設け、筒状の上端に係合相手部となる係合構造を設けることができる。このように、上下移動部材は、固定ボルトに螺合するとともに、外周に外側段部を有するだけの筒状の部材であるので、ナットのように小型に形成することができる。
【００１０】
上記上下移動部材の外側段部上に支持される部材として、曲面ワッシャーを組み合わせる。曲面ワッシャーは、上下移動部材に挿通するため中央部に形成した孔部と、上記孔部周囲から外方かつ上方へ向かって設けられた下向きの凸曲面と、凸曲面よりも上位に設けられ、受け枠に接触可能な支持面と、固定ボルトに挿通した状態にて操作部材による操作を可能にするために必要な内側のスペースを有している。
【００１１】
この曲面ワッシャーとして、プレス成型により球殻状に形成した円形部材より成り、その円形部材の周縁部に支持面が外方へ向けて設けた構成を有するものは、製作が容易で、しかも使用し易い。また、曲面ワッシャーとして、下向きの凸曲面を有するので、受け枠の傾きに対応して傾けやすく、モルタルの充填容積が余り減少せず、モルタルの流れを妨げず、再調整に伴うモルタルからの剥離も困難ではない。しかし、さらに剥離を容易にするために、剥離材を凸曲面に塗布しても良い。
【００１２】
さらに本発明の装置は、下部構造と曲面ワッシャーの間に露出する固定ボルトと上下移動部材及び曲面ワッシャーの下部を覆う伸縮可能なカバーを具備する。カバーは、固定ボルトを覆い、かつ、伸縮可能である点において従来のものと同様であるが、上下移動部材及び曲面ワッシャーの下部を覆う点において新規である。そして、伸縮可能なカバーは、上下移動部材及び曲面ワッシャーの下部を覆うことのために、上下移動部材の下部の外側段部及び外側段部に支持されている曲面ワッシャーの下部を、下方から囲む囲み部を有するものとし、囲み部の上端が曲面ワッシャーの下部に、より適切に接触するように構成することができる。
【００１３】
本発明には、さらに、上下移動部材の係合相手部と係合可能な係合部を先端に設けたパイプ状部材を有する前記操作部材を使用する。操作部材の係合部は、上下移動部材の係合相手部と係合するもので、これらの相互係合構造は、例えば凸部と凹部、切欠きと突起などが当てはまる。係合部は、パイプ状部材の先端に設けられるが、パイプ状構造の内部には前述の固定ボルトの上端部が入り込む。
【発明の効果】
【００１４】
本発明は以上のように構成されかつ作用するものであるから、従来同様に受け枠高さを開口周囲の高さに合わせて調整することが可能であるとともに、施工後再嵩上げが必要になったときに、下向きの凸曲面を有する曲面ワッシャーを簡単に取り外すことにより、既設の調整モルタルを破壊しないか、或いは、破壊を最小限に止め、かつ、施工済みの調整装置の部品も再使用することにより、受け枠高さを容易かつ経済的に変更することができる。また本発明によれば、調整装置の構成の合理化により、モルタル充填容積を減少させず、強度を落とさずに済むことができる。また本発明によれば、下向きの凸曲面を有する曲面ワッシャーを使用することにより、モルタルの流れ不良を起こさず、再施工時においてモルタルから調整装置の部品を取り外し易いという効果を奏する。
【発明を実施するための最良の形態】
【００１５】
以下図示の実施形態を参照しつつ本発明をより詳細に説明する。図１は、本発明に係る地下構造物用受け枠高さ調整装置１０の一例を示すもので、下部構造１１の側には、固定ボルト１２が植設されており、その雄ねじ部１２ａに螺合する雌ねじ部１３ａを筒状の内面に有するほぼ筒状の上下移動部材１３が上下方向へ移動可能に設けられている。
【００１６】
上下移動部材１３は、筒状の外部の下部の全周にフランジ状の部分を設けることにより外側段部１４とし、筒状の上端に係合相手部１５として凹部からなる係合構造を設けたものである（図２Ａ、Ｂ、Ｃ参照）。図示の上下移動部材１３は、金属材料を図２に示すような形状に加工したもので、固定ボルト１２に組み合わせるナットよりも僅かながら小型に形成されている。
【００１７】
上記上下移動部材１３には、外側段部１４上に曲面ワッシャー１６が支持される。図示の曲面ワッシャー１６は、上下移動部材１３の筒状部を挿通するため貫通状に形成した孔部１７と、上記孔部周囲から外方かつ上方へ向かって設けられた下向きの凸曲面１８と、凸曲面１８よりも上位に設けられ、受け枠２９にほぼ全周で面接触可能な支持面１９と、固定ボルト１２に挿通した状態にて操作部材２４による操作を可能にするために必要な内側のスペース２０を有している。
【００１８】
上記の曲面ワッシャー１６は、金属材料をプレス成型により比較的浅い球殻状に形成した円形部材より成り、受け枠２９の傾きに対応して傾き上下移動部材１３の外側段部１４上に支持される（図５Ａ、Ｂ参照）。図示のプレス成型により形成された、球殻状の曲面ワッシャー１６に変えて、中実（インゴット）状構造のものも適用可能であるが、その場合には、操作部材２４の差し込みが可能な内側のスペース２０を切削加工等により設けることが必要である。
【００１９】
下部構造１１と曲面ワッシャー１６の間における固定ボルト１２の露出部分と、上下移動部材１３及び曲面ワッシャー１６の下部は、伸縮可能なカバー２１によって覆われる。カバー２１は、固定ボルト１２を覆い、かつ、伸縮可能であり、伸縮のために蛇腹状構造を有している。
【００２０】
図示の伸縮可能なカバー２１は、上下移動部材１３の下部及び曲面ワッシャー１６の下部を覆うために、上下移動部材１３の下部の外側段部１４及び外側段部１４に支持されている曲面ワッシャー１６の下部を下方から囲む、やや大径の筒状に形成された囲み部２２を有している。囲み部２２の上端２２ａは、曲面ワッシャー１６の凸曲面１８の下部に接触するように傾斜状に形成することが望ましい。２３はカバー下端の口枠を示す。
【００２１】
さらに操作部材２４が組み合わされる。操作部材２４は、上下移動部材１３の凹状の係合相手部１５と係合可能な凸状の係合部２５をパイプ状部材２６の先端に設けたもので、パイプ状部材２６の他端にはハンドル取り付け孔２７を有する。ハンドル２８は、取り付け孔２７に差し込んで使用するが、短いモーメントアームを有する棒材を使用して過剰なトルクが加わることを防止し必要十分なレベルに止めている。
【００２２】
図５Ａ、Ｂは、本発明に係る装置１０の適用例を示すもので、２９は地下構造物の蓋体（図示せず）を受け支える受け枠を示しており、そのフランジ３０に設けられているボルト孔３１に前述の固定ボルト１２を通し、本発明に係る装置１０によって高さ調整を行なう。図５Ａに示す例では、下部構造１１の最上位に調整ブロック３２を使用し、受け枠高さを開口周囲の高さに調整している。また、図５Ｂに示す例では、より大きい嵩上げ量に対応するため、より長い固定ボルト１２に応じて、伸縮可能なカバー２１を複数個使用した例を示している。
【００２３】
このように構成された本考案の地下構造物用受け枠高さ調整装置１０を使用するには、図６に示すように、下部構造１１に固定ボルト１２を植設し、全ての固定ボルト１２に上下移動部材１３を螺合させ、各上下移動部材１３の筒状部に、曲面ワッシャー１６を孔部１７にて差し込み、かつ、外側段部１４に支持させ、その上方からフランジ部３０のボルト孔３１に通して受け枠２９を載置する。なお、受け枠２９を載置した状態において、固定ボルト１２を覆うカバー２１の上端が上下移動部材１３を囲み、曲面ワッシャー１６の下面に密接していることを確認する。符号３３は予定している修正路面即ち開口周囲の位置を示す。
【００２４】
次いで、操作部材２４を使用し、固定ボルト１２に螺合している上下移動部材１３を回転させることにより、受け枠２９の上面が開口周囲の位置３３に一致するように高さを調整する（図７）。この作業を全ての固定ボルト１２について実施し、モルタル３５を打設して、嵩上げ調整を完了したのが図８である。３４は受け枠を固定するナットを示す。この調整の後において、さらに調整の必要が生じたときは、一旦ナット３４を外し、新たな修正路面即ち開口周囲の位置３３′に、操作部材２４を使用して上下移動部材１３を必要量上昇させることとなる（図９）。その際に、調整モルタル上に露出する固定ボルトの部分３６は、また、別のカバー２１により覆うものとする。
【図面の簡単な説明】
【００２５】
【図１】本発明に係る地下構造物用受け枠高さ調整装置の一例を示す部分断面正面図。
【図２】同上の装置の上下移動部材を示すもので、Ａは平面図、Ｂは断面図、Ｃは正面図。
【図３】同じく曲面ワッシャーを示すもので、Ａは平面図、Ｂは断面図。
【図４】同じくカバーを示すもので、Ａは平面図、Ｂは部分断面正面図。
【図５】本発明装置の実施状態を示すもので、Ａは一例の部分断面図、Ｂは複数個のカバーを用いた例を示す断面図。
【図６】本発明装置を用いて受け枠を支持した状態を示す説明図。
【図７】受け枠の高さ調整開始時の説明図。
【図８】受け枠の高さ調整完成時の説明図。
【図９】再嵩上げ状態を示す説明図。
【符号の説明】
【００２６】
１０  本発明に係る高さ調整装置
１１  下部構造
１２  固定ボルト
１３  上下移動部材
１４  外側段部
１５  係合相手部
１６  曲面ワッシャー
１７  孔部
１８  凸曲面
１９  支持面
２０  スペース
２１  伸縮可能なカバー
２２  囲み部
２３  口枠
２４  操作部材
２５  係合部
２６  パイプ状部材
２７  取り付け孔
２８  ハンドル
２９  受け枠
３０  フランジ
３１  ボルト孔
３２  調整ブロック
３３、３３′  開口周囲の位置
３４  ナット
３５  モルタル
【図１】
2008121198.tif 000003
【図２】
2008121198.tif 000004
【図３】
2008121198.tif 000005
【図４】
2008121198.tif 000006
【図５】
2008121198.tif 000007
【図６】
2008121198.tif 000008
【図７】
2008121198.tif 000009
【図８】
2008121198.tif 000010
【図９】
2008121198.tif 000011